【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
記録データを生成する生成手段と該生成手段で生成された記録データを出力する出力手段とを有するホスト装置と、前記出力手段から出力された記録データを入力する入力手段と前記入力手段が入力した記録データに基づいて記録を行う記録手段とを有する記録装置とを有し、前記記録装置で記録した記録データを用いた再記録が可能な記録システムであって、
前記生成手段で生成した記録データに、該記録データをグループ毎に管理可能な識別情報を付加する、前記ホスト装置に備えられた付加手段と、
前記付加手段により識別情報が付加された記録データを該識別情報ごとに管理して格納する格納手段と、
前記格納手段に格納された記録データの識別情報のうちからいずれかを、ユーザの指示に従って選択する選択手段と、
ユーザの指示に従って選択された識別情報が付加された記録データに基づいて記録を行うよう前記記録手段を制御する、前記記録装置に備えられた制御手段と、
を有することを特徴とする記録システム。
【請求項２】
前記記録装置は、前記格納手段と、前記選択手段とを有することを特徴とする請求項１に記載の記録システム。
【請求項３】
前記ホスト装置は、前記付加手段が付加する識別情報を設定する設定手段をさらに有することを特徴とする請求項２に記載の記録システム。
【請求項４】
前記付加手段は、前記設定手段により設定された識別情報のほかに、前記生成手段により記録データを生成する際に該記録データの元となるファイルが保存されていたフォルダ名、前記生成手段による記録データの生成日、ファイル名の少なくとも１つを該記録データを識別するための識別情報として前記記録データに付加することを特徴とする請求項３に記載の記録システム。
【請求項５】
前記記録装置は、前記格納手段に格納された記録データの識別情報を解析する解析手段と、
前記解析手段が解析した識別情報を表示する表示手段とをさらに有し、
前記選択手段は、前記表示手段により表示された記録データの識別情報のうちからいずれかを選択するユーザの指示が前記識別情報のグループの指示であると判断した場合に、前記指示されたグループの識別情報が付加されている記録データを選択し、
前記制御手段は、前記選択手段により選択された記録データに基づいて記録を行うよう制御することを特徴とする請求項２乃至請求項４のいずれか１項に記載の記録システム。
【請求項６】
前記ホスト装置は、前記生成手段で生成した記録データを示す記録データのアイコンを表示する表示手段をさらに有し、
前記ホスト装置の表示手段はさらに、前記付加手段による記録データへの識別情報の付加を開始するために用いる識別情報の付加開始を指示するアイコンを表示し、
前記記録データのアイコンと前記識別情報の付加開始を指示するアイコンとをユーザ操作により重ね合わせることにより、前記付加手段による記録データへの識別情報の付加を開始することを特徴とする請求項２乃至請求項５のいずれか１項に記載の記録システム。
【請求項７】
記録データを生成する生成手段と該生成手段で生成された記録データを出力する出力手段とを有するホスト装置と、前記出力手段から出力された記録データを入力する入力手段と前記入力手段が入力した記録データに基づいて記録を行う記録手段とを有する記録装置とを有し、前記記録装置で記録した記録データを用いた再記録が可能な記録システムの記録方法であって、
前記生成手段で生成した記録データに、該記録データをグループ毎に管理可能な識別情報を付加する付加工程と、
前記付加工程により識別情報が付加された記録データを該識別情報ごとに管理して格納する格納工程と、
前記格納工程で格納された記録データの識別情報のうちからいずれかを、ユーザの指示に従って選択する選択工程と、
ユーザの指示に従って選択された識別情報が付加された記録データに基づいて記録を行う記録工程と、
を有することを特徴とする記録方法。
【請求項８】
記録データを生成し、前記記録データを出力するホスト装置と接続され、前記ホスト装置から出力された記録データに基づいて記録を行う記録装置であって、
前記ホスト装置から出力された記録データを前記ホスト装置で該記録データに付加された識別情報ごとに管理して格納する格納手段と、
前記格納手段に格納された記録データの識別情報のうちからいずれかを、ユーザの指示に従って選択する選択手段と、
ユーザの指示に従って選択された識別情報が付加された記録データに基づいて記録を行うよう制御する制御手段と、
を有することを特徴とする記録装置。
【請求項９】
入力された記録データに基づいて記録を行う記録装置に対して生成した記録データを出力するホスト装置であって、
前記生成した記録データに、該記録データをグループ毎に管理可能な識別情報を付加する付加手段を有することを特徴とするホスト装置。
【請求項１０】
記録データを生成し、前記記録データを出力するホスト装置と接続され、前記ホスト装置から出力された記録データに基づいて記録を行う記録装置に、
前記ホスト装置から出力された記録データを前記ホスト装置で該記録データに付加された識別情報ごとに管理してメモリに格納する工程と、
前記メモリに格納された記録データの識別情報のうちからいずれかを、ユーザの指示に従って選択する工程と、
ユーザの指示に従って選択された識別情報が付加された記録データに基づいて記録を行わせる工程と、
を実行させることを特徴とするプログラム。
【請求項１１】
入力された記録データに基づいて記録を行う記録装置に対して生成した記録データを出力するホスト装置に、
前記生成した記録データに、該記録データをグループ毎に管理するためのグループ情報および該記録データが個別に有するファイル情報を識別情報として付加する工程を実行させることを特徴とするプログラム。
【手続補正２】
【補正対象書類名】明細書
【補正対象項目名】０００６
【補正方法】変更
【補正の内容】
【０００６】
上記課題を解決するための本発明は、記録データを生成する生成手段と該生成手段で生成された記録データを出力する出力手段とを有するホスト装置と、前記出力手段から出力された記録データを入力する入力手段と前記入力手段が入力した記録データに基づいて記録を行う記録手段とを有する記録装置とを有し、前記記録装置で記録した記録データを用いた再記録が可能な記録システムであって、
前記生成手段で生成した記録データに、該記録データをグループ毎に管理可能な識別情報を付加する、前記ホスト装置に備えられた付加手段と、
前記付加手段により識別情報が付加された記録データを該識別情報ごとに管理して格納する格納手段と、
前記格納手段に格納された記録データの識別情報のうちからいずれかを、ユーザの指示に従って選択する選択手段と、
ユーザの指示に従って選択された識別情報が付加された記録データに基づいて記録を行うよう前記記録手段を制御する、前記記録装置に備えられた制御手段と、
を有することを特徴とする。
【手続補正３】
【補正対象書類名】明細書
【補正対象項目名】０００７
【補正方法】変更
【補正の内容】
【０００７】
また、上記課題を解決するための別の本発明は、記録データを生成する生成手段と該生成手段で生成された記録データを出力する出力手段とを有するホスト装置と、前記出力手段から出力された記録データを入力する入力手段と前記入力手段が入力した記録データに基づいて記録を行う記録手段とを有する記録装置とを有し、前記記録装置で記録した記録データを用いた再記録が可能な記録システムの記録方法であって、
前記生成手段で生成した記録データに、該記録データをグループ毎に管理可能な識別情報を付加する付加工程と、
前記付加工程により識別情報が付加された記録データを該識別情報ごとに管理して格納する格納工程と、
前記格納工程で格納された記録データの識別情報のうちからいずれかを、ユーザの指示に従って選択する選択工程と、
ユーザの指示に従って選択された識別情報が付加された記録データに基づいて記録を行う記録工程と、
を有することを特徴とする。
【手続補正４】
【補正対象書類名】明細書
【補正対象項目名】０００９
【補正方法】変更
【補正の内容】
【０００９】
さらに、上記課題を解決するための別の本発明は、入力された記録データに基づいて記録を行う記録装置に対して生成した記録データを出力するホスト装置であって、
前記生成した記録データに、該記録データをグループ毎に管理可能な識別情報を付加する付加手段を有することを特徴とする。